(57)【要約】【課題】 ＭＰＥＧ−４データをＭＰＥＧ−２  ＴＳに変換する過程において、オブジェクト情報をＰＭＴに含ませることで、ＭＰＥＧ−２  ＴＳ状態にてオブジェクト別に管理し得るようにするＭＰＥＧ−２  ＴＳにおけるＭＰＥＧ−４オブジェクト情報管理方法を提供する。【解決手段】   ＭＰＥＧ−２  ＴＳに伝送するためのＭＰＥＧ−４  ＳＬが入力される第１段階（ステップS21）と、ＭＰＥＧ−４  ＳＬからオブジェクト情報を獲得する第２段階（ステップS22）と、獲得したオブジェクト情報をＭＰＥＧ−２  ＴＳのＰＭＴに対応させる第３段階（ステップS23）と、オブジェクト情報が対応されたＰＭＴを有するＭＰＥＧ−２  ＴＳを生成する第４段階（ステップS24）と、を含む。【選択図】図２
2006211679.tif 000002
【特許請求の範囲】
【請求項１】
ＭＰＥＧ（Motion Picture Expert Group）−２  ＴＳ（Transport Stream）におけるＭＰＥＧ−４オブジェクト情報を管理する方法であって、
ＭＰＥＧ−２  ＴＳに伝送するためのＭＰＥＧ−４  ＳＬ（Sync Layer）を受信する第１段階と、
前記ＭＰＥＧ−４  ＳＬからオブジェクト情報を獲得する第２段階と、
前記獲得したオブジェクト情報を、前記ＭＰＥＧ−２  ＴＳのＰＭＴ（Program Map Table）に対応させる第３段階と、
前記オブジェクト情報が対応されたＰＭＴを有するＭＰＥＧ−２  ＴＳを生成する第４段階と、
を含むことを特徴とするＭＰＥＧ−２  ＴＳにおけるＭＰＥＧ−４オブジェクト情報管理方法。
【請求項２】
前記第３段階は、前記獲得したオブジェクト情報を前記ＭＰＥＧ−２  ＴＳのＰＭＴのユーザ定義ストリームＩＤに対応させる
ことを特徴とする請求項１記載のＭＰＥＧ−２  ＴＳにおけるＭＰＥＧ−４オブジェクト情報管理方法。
【請求項３】
前記ＭＰＥＧ−２  ＴＳのＰＭＴのユーザ定義ストリームＩＤは、“０×８０”乃至“０×ＦＦ”のユーザ定義領域である
ことを特徴とする請求項２記載のＭＰＥＧ−２  ＴＳにおけるＭＰＥＧ−４オブジェクト情報管理方法。
【請求項４】
ＭＰＥＧ−２  ＴＳにおけるＭＰＥＧ−４オブジェクト情報を管理する方法であって、
ＭＰＥＧ−２  ＴＳを受信する第１段階と、
前記受信されたＭＰＥＧ−２  ＴＳからＰＡＴ（Program Access Table）及びＰＭＴ（Program Map Table）を検出する第２段階と、
ユーザの要求に応じて、前記ＰＭＴに含まれたオブジェクト情報を獲得する第３段階と、
前記獲得されたオブジェクト情報を用いて、前記ユーザの要求に応じた動作を行う第４段階と、
を含むことを特徴とするＭＰＥＧ−２  ＴＳにおけるＭＰＥＧ−４オブジェクト情報管理方法。
【請求項５】
前記ＭＰＥＧ−２  ＴＳは、前記ＭＰＥＧ−４  ＳＬから獲得したオブジェクト情報を前記ＭＰＥＧ−２  ＴＳのＰＭＴのユーザ定義ストリームＩＤに対応させたものである
ことを特徴とする請求項４記載のＭＰＥＧ−２  ＴＳにおけるＭＰＥＧ−４オブジェクト情報管理方法。
【請求項６】
前記ユーザの要求が存在しない状態になるまで、前記第２段階乃至第４段階を繰り返す第５段階をさらに含む
ことを特徴とする請求項４又は５記載のＭＰＥＧ−２  ＴＳにおけるＭＰＥＧ−４オブジェクト情報管理方法。
【請求項７】
前記ユーザの要求に応じた動作は、前記オブジェクト情報を含むＭＰＥＧ−２  ＴＳを選択する動作である
ことを特徴とする請求項６記載のＭＰＥＧ−２  ＴＳにおけるＭＰＥＧ−４オブジェクト情報管理方法。
【請求項８】
前記ユーザの要求に応じた動作は、前記オブジェクト情報を含むＭＰＥＧ−２  ＴＳを削除する動作である
ことを特徴とする請求項６記載のＭＰＥＧ−２  ＴＳにおけるＭＰＥＧ−４オブジェクト情報管理方法。
【発明の詳細な説明】
【技術分野】
【０００１】
本発明は、ＩＰ（Internet Protocol）放送のために、ＭＰＥＧ（Motion Picture Expert Group）−４を効率良くＭＰＥＧ−２  ＴＳ（Transport Stream）に整合して、ＭＰＥＧ−４のオブジェクト（Object）単位でＭＰＥＧ−２  ＴＳを管理するための方法に関する。
【背景技術】
【０００２】
ＭＰＥＧとは、動画像及び関連オーディオ信号圧縮及び復元に関する技術標準組織であって、国際標準化機構（ＩＳＯ）と国際電気標準会議（ＩＥＣ）が共同で設立した合同技術委員会（ＪＴＣ：Joint Technical Committee）傘下のマルチメディア関連符号化技術の国際標準規格を制定する組織であるＳＣ２９（Sub-Committee 29）において、「ＷＧ１１（Working Group 11）」の名称の下で活動している。
【０００３】
このようなＭＰＥＧで提案した標準規格としては、ＭＰＥＧ−１、ＭＰＥＧ−２があり、（参考までに、ＭＰＥＧ−３はＭＰＥＧ−２に統合された。）、現在ではＭＰＥＧ−４も採択されつつある。
【０００４】
ここで、ＭＰＥＧ−１は、主に、１秒当たり３０個のフルカラー映像を”３２０×４８０”の解像度で格納するための技術に関するものであり、ビデオＣＤ（Compact Disc）などに用いられる。そして、ＭＰＥＧ−２は、”７０８×４８０”の解像度を支援する技術に関するものであり、ＤＶＤ（Digital Video Disc）などに用いられる。このようなＭＰＥＧ−１及びＭＰＥＧ−２によれば、定められたデータ処理量に応じて所定のサイズで入力される動画像及び音声情報が圧縮されることにより生成されたビットストリーム（Bitstream）が伝送され、受信端末は、このビットストリームをデコード（decoding）して画面やスピーカへ出力する。
【０００５】
一方、ＭＰＥＧ−４の技術は、ＭＰＥＧ−１やＭＰＥＧ−２とは異なり、映像をフレーム単位で伝送せずに、当該映像の背景とオブジェクトとを分離して伝送し、これら背景とオブジェクトとを受信端末で一つの画面に再合成する技術である。このＭＰＥＧ−４は、一枚のＣＤに約１３０時間分の動画像を格納することが可能であり、無線通信端末機や画像会議などで要求される対話型機能に重点を置いた技術である。
【０００６】
すなわち、ＭＰＥＧ−４が過去の標準（つまり、ＭＰＥＧ−１及びＭＰＥＧ−２）と相異なる点は、ソース（source）の違いである。ＭＰＥＧ−４では、音声データと画像データとが、一つの画面内に存在する特定の部分のオブジェクト（object）の集合（set）として構成されることができる。換言すると、１つの画面は、例えば、人，乗り物，木，空，鳥，雲などのような、多様なビジュアルオブジェクトの集合からなる。そして、上述のように、ＭＰＥＧ−４は、一つの画像から夫々のオブジェクトを分離して圧縮するので、ＭＰＥＧ−２と同じ画質条件下で、ＭＰＥＧ−２よりも一層高い圧縮率（圧縮レート）を用いて動画像コンテンツを格納できる。
【０００７】
図１は、ＭＰＥＧ−４をＭＰＥＧ−２  ＴＳに変換する過程を示す図である。
【０００８】
図１に示すように、動画像データであるＡＵ（Access Unit）１１は、（符号１３−１と１３−２との）２つの部分に分けられ、かつ、分けられた夫々の部分１３−１，１３−２にＭＰＥＧ−４パケットのためのＳＬヘッダ１２−１，１２−２を含ませることにより、ＳＬパケット１５−１，１５−２が生成される。そして、生成された夫々のＳＬパケット１５−１，１５−２は、ＰＥＳ（Ｐａｃｋｅｔｉｚｅｄ  ＥＳ）ヘッダ１４−１，１４−２がそれぞれ加えられることによって、ＰＥＳパケットが形成される。次に、夫々のＰＥＳパケットは、ＴＳパケットに変換されることによって、ＭＰＥＧ−２  ＴＳが形成される。
【０００９】
ここで、各ＴＳパケットは、夫々１８８バイトに設定され、夫々ＴＳヘッダ１６−１，１６−２，１６−３を含み、また、１８８バイトに適合するように夫々のＰＥＳパケットを分割することによって得られたＰＥＳパケットデータ（Packet data）１７−１，１７−２，１７−３を含む。
【００１０】
ここで、ＭＰＥＧ−４パケットが上述のようにＭＰＥＧ−２  ＴＳパケットに変換された場合には、ＭＰＥＧ−４パケットから夫々のオブジェクトについての情報を得ることができず、また、夫々のオブジェクトの編集を行うこともできない。換言すると、ＭＰＥＧ−２  ＴＳにおいて各オブジェクトに関する情報をチェックするためには、当該ＭＰＥＧ−２  ＴＳを、ＳＬヘッダ１２−１，１２−２の情報を含むＳＬパケットに変換する必要がある。
【００１１】
すなわち、従来は、ＭＰＥＧ−２  ＴＳを用いてＭＰＥＧ−４の伝送が行われる場合に、夫々のオブジェクトの状態（status）を確認するためには、ＭＰＥＧ−２  ＴＳをＰＥＳパケットを経てＭＰＥＧ−４  ＳＬ又はＭＰＥＧ−４  ＥＳの状態に変換した後に、当該ＭＰＥＧ−４  ＳＬ又はＭＰＥＧ−４  ＥＳの記述子（Descriptor）をチェックすることが不可欠である、という問題点があった。
【発明の開示】
【発明が解決しようとする課題】
【００１２】
従って、本発明は前述のような従来の問題点を解消するために案出されたもので、その目的は、ＭＰＥＧ−４データをＭＰＥＧ−２  ＴＳに変換する過程において、オブジェクト情報をＰＭＴ（Program Map Table）に含ませる（加える）ことで、ＭＰＥＧ−２  ＴＳの状態にてオブジェクト別に管理することが可能な、ＭＰＥＧ−２  ＴＳにおけるＭＰＥＧ−４オブジェクト情報管理方法を提供することにある。
【００１３】
また、本発明の他の目的は、オブジェクト情報に基づいて、ユーザがＭＰＥＧ−２  ＴＳから各オブジェクトをフィルターリングすることを可能にする方法を提供することにある。
【課題を解決するための手段】
【００１４】
上記目的を達成するために、本発明の一の側面は、ＭＰＥＧ（Motion Picture Expert Group）−２  ＴＳ（Transport Stream）におけるＭＰＥＧ−４オブジェクト情報を管理する方法であって、ＭＰＥＧ−２  ＴＳに伝送するためのＭＰＥＧ−４  ＳＬ（Sync Layer）を受信する第１段階と、前記ＭＰＥＧ−４  ＳＬからオブジェクト情報を獲得する第２段階と、該獲得したオブジェクト情報を、前記ＭＰＥＧ−２  ＴＳのＰＭＴ（Program Map Table）に対応させる第３段階と、前記オブジェクト情報が対応されたＰＭＴを有するＭＰＥＧ−２  ＴＳを生成する第４段階と、を含む。
【００１５】
また、本発明の他の側面によるＭＰＥＧ−２  ＴＳにおけるＭＰＥＧ−４オブジェクト情報の管理方法は、ＭＰＥＧ−２  ＴＳを受信する第１段階と、前記受信されたＭＰＥＧ−２  ＴＳからＰＡＴ（Program Access Table）及びＰＭＴ（Program Map Table）を検出する第２段階と、ユーザの要求に応じて、前記ＰＭＴに含まれたオブジェクト情報を獲得する第３段階と、該獲得されたオブジェクト情報を用いて、当該ユーザの要求に応じた動作を行う第４段階と、を含む。
【発明の効果】
【００１６】
本発明によれば、ＤＶＢ−ＨやＤＭＢ（Digital Multimedia Broadcasting）で使用されるＭＰＥＧ−２  ＴＳ  over  ＭＰＥＧ−４が伝送される際に、ＭＰＥＧ−２  ＴＳ上でＭＰＥＧ−４の各オブジェクトの状態をチェックできるようになるので、ユーザの要求に応じて伝送データの加工を容易に行うことが可能となる。
【００１７】
すなわち、従来の方法では、ＭＰＥＧ−４をオブジェクト毎に管理するためにはＭＰＥＧ−２  ＴＳをＭＰＥＧ−４に変換する工程が必要となるが、本発明によれば、ＭＰＥＧ−２  ＴＳの状態であってもＭＰＥＧ−４オブジェクト別の管理が可能になるため、プロセッサの工程を減らすことが可能となる。
【００１８】
なお、本発明の方法は、プログラム化してコンピュータで読み取ることができる形態で、各種の記録媒体（例えば、ＣＤ−ＲＯＭ、ＲＡＭ、フレキシブルディスク、ハードディスク、光磁気ディスクなど）に格納できる。
【発明を実施するための最良の形態】
【００１９】
以下、添付図面を参照して本発明の好適な実施形態を詳細に説明する。なお、下記の説明において、本発明の要旨のみを明瞭にする目的で、関連した公知の機能やは構成に関する具体的な説明は省略する。
【００２０】
本発明の実施形態では、ＭＰＥＧ−４データのオブジェクト情報をＭＰＥＧ−２  ＴＳのＰＭＴ（Program Map Table）に含ませることを提案する。
【００２１】
下記の表１は、本発明によるＭＰＥＧ−２  ＴＳのＰＭＴの一例を示したものである。
【表１】
2006211679.tif 000003
【００２２】
また、下記の表２は、本発明によるＭＰＥＧ−２  ＴＳのＰＭＴのストリームタイプ（Stream Type）に関する情報の一例を示したものである。本発明の実施形態では、特に、”０×８０”〜”０×ＦＦ”のユーザ定義領域（User Private regions）を用いてＭＰＥＧ−４オブジェクト情報を表現する（express）ことを提案する。
【００２３】
すなわち、ＭＰＥＧ−４オブジェクト情報がＭＰＥＧ−２  ＴＳのＰＭＴで表現されるので、ユーザが見ようとするオブジェクトの抽出に要する処理工程を減らすことが可能となる。
【表２】
2006211679.tif 000004
【００２４】
また、下記の表３は、前記表２の本発明によるＭＰＥＧ−２  ＴＳのＰＭＴのストリームタイプに関する情報のうち、ストリームＩＤが０×８０乃至０×ＦＦのＭＰＥＧ−４オブジェクト情報を表現するテーブルの一例を示したものである。
【表３】
2006211679.tif 000005
【００２５】
上記の表３に示すように、０×８０乃至０×９Ｆはビデオオブジェクトを、０×ａ０乃至０×ｂＦはオーディオオブジェクトを、０×ｃ０乃至０×ｄＦはテキストオブジェクトを、０×ｅ０乃至０×ＦＦはその他のオブジェクトをそれぞれ表現する。このように、表１において、ビデオ（Video）、オーディオ（Audio）、テキスト（Text）などにオブジェクトＩＤを与えると、前記表１に示すようなストリームＩＤ（ストリームタイプ）及びＥＳ  ＰＩＤでマッピングするループを繰り返す。
【００２６】
このような表３のオブジェクト情報の表現は、ＦＰＧＡ（Field Programmable Gate Array）或いはプロセッサ（Processor）を用いてマッピングすることで行われる。
【００２７】
図２は本発明の実施形態によるＭＰＥＧ−２  ＴＳにＭＰＥＧ−４オブジェクト情報を含ませる方法を示すフローチャートである。
【００２８】
図２に示すように、本実施形態によるＭＰＥＧ−２  ＴＳにＭＰＥＧ−４オブジェクト情報を含ませる方法では、まずＭＰＥＧ−２  ＴＳのためのＭＰＥＧ−４  ＳＬが入力される（ステップＳ２１）。
【００２９】
その後、入力されたＭＰＥＧ−４  ＳＬからオブジェクト情報を獲得する（ステップＳ２２）。
【００３０】
そして、獲得したオブジェクト情報を、ＭＰＥＧ−２  ＴＳのＰＭＴ（Program Map Table）のユーザ定義ストリームＩＤに対応させる（ステップＳ２３）。ここで、ＭＰＥＧ−２  ＴＳのＰＭＴのユーザ定義ストリームＩＤは、前記表１の０×８０乃至０×ＦＦの値を有する。
【００３１】
さらに、オブジェクト情報が対応されたＰＭＴを有するＭＰＥＧ−２  ＴＳを生成する（ステップＳ２４）。
【００３２】
図３は本発明の実施形態によるＭＰＥＧ−２  ＴＳを受信した後に、ユーザの要求に応じてＭＰＥＧ−４オブジェクト情報によるデータをフィルターリングする方法を示すフローチャートである。
【００３３】
図３に示すように、本発明によるＭＰＥＧ−４オブジェクト情報によるデータフィルターリング方法は、まず、ＭＰＥＧ−２  ＴＳを受信する（ステップＳ３１）。ここで、ＭＰＥＧ−２  ＴＳは、図２に示したようなＭＰＥＧ−４オブジェクト情報を対応付けさせたＭＰＥＧ−２  ＴＳである。
【００３４】
その後、受信したＭＰＥＧ−２  ＴＳからＰＡＴ（Program Access Table）を検出する（ステップＳ３２）。ここで、ＰＡＴのＰＩＤの値は“０×００”である。
【００３５】
そして、検出されたＰＡＴを用いてＰＭＴ ＰＩＤを検出する（ステップＳ３３）。本発明の実施形態では、ＭＰＥＧ−４  ＳＬから獲得したオブジェクト情報をＭＰＥＧ−２  ＴＳのＰＭＴ（Program Map Table）のユーザ定義ストリームＩＤに対応させることを特徴とする。ここで、ＭＰＥＧ−２  ＴＳのＰＭＴのユーザ定義ストリームＩＤは、前記表１の０×８０乃至０×ＦＦの値を有する。
【００３６】
また、ユーザから当該オブジェクト情報を用いたフィルターリング要求があるか否かを確認する（ステップＳ３４）。ここで、ユーザのフィルターリング要求とは、当該特定のオブジェクト情報に対応するデータの削除（すなわち削除する動作）の要求、または、当該特定のオブジェクト情報に対応するデータの選択（すなわち選択する動作）の要求である。
【００３７】
ユーザのフィルターリング要求がない場合には（ステップＳ３４でＮＯ）、ステップＳ３３に戻り、ユーザのフィルターリング要求があれば（ステップＳ３４でＹＥＳ）、ＰＭＴ内のユーザ定義ストリームＩＤを通じてオブジェクト情報を獲得し（ステップＳ３５）、獲得されたオブジェクト情報を用いてユーザの要求に応じたＭＰＥＧ−２  ＴＳのフィルターリング動作を遂行する（ステップＳ３６）。そして、以上のような動作を、ユーザからの要求が存在しない状態になるまで繰り返す（ステップＳ３７）。
【００３８】
上記のような本発明の実施形態によれば、ＤＶＢ−ＨやＤＭＢ（Digital Multimedia Broadcasting）で使用されるＭＰＥＧ−２  ＴＳ  over  ＭＰＥＧ−４の伝送の際に、ＭＰＥＧ−２  ＴＳ上でＭＰＥＧ−４のオブジェクト別状態をチェックすることが可能となるので、ユーザの要求に応じて伝送データの加工を容易に行うことができる、という効果が得られる。
【００３９】
すなわち、従来の方法では、一のＭＰＥＧ−４をオブジェクト毎に管理するためにはＭＰＥＧ−２  ＴＳをＭＰＥＧ−４に変換する工程が必要となるが、本実施形態によれば、ＭＰＥＧ−２  ＴＳの状態であってもＭＰＥＧ−４の各オブジェクトを管理することが可能になるため、プロセッサの工程を減らすことができる、という効果が得られる。
【００４０】
上述した本発明の方法は、プログラム化してコンピュータで読み取ることができる形態で、各種の記録媒体（例えばＣＤ−ＲＯＭ，ＲＡＭ，種々のフレキシブルディスク，ハードディスク，光磁気ディスク，など）に格納できる。
【００４１】
以上、本発明を具体的な実施形態に則して説明したが、形式や細部についての種々の置換、変形、変更等が、特許請求の範囲の記載により規定されるような本発明の精神及び範囲から逸脱することなく行われることが可能であることは、当該技術分野における通常の知識を有する者には明らかである。従って、本発明の範囲は、前述の実施形態及び添付図面に限定されるものではない。
【図面の簡単な説明】
【００４２】
【図１】ＭＰＥＧ−４をＭＰＥＧ−２  ＴＳに変換する過程を示す図である。
【図２】本発明の実施形態によるＭＰＥＧ−２  ＴＳにＭＰＥＧ−４オブジェクト情報を含ませる方法を示すフローチャートである。
【図３】本発明の実施形態によるＭＰＥＧ−２  ＴＳを受信した後に、ユーザの要求に応じて、ＭＰＥＧ−４オブジェクト情報のデータをフィルターリングする方法を示すフローチャートである。
【符号の説明】
【００４３】
１１  ＡＵ（Access Unit）
１２−１，１２−２  ＳＬ（Sync Layer）ヘッダ
１３−１，１３−２  ＡＵの分割部
１４−１，１４−２  ＰＥＳヘッダ
１５−１，１５−２  ＳＬパケット（ペイロード）
１６−１，１６−２，１６−３  ＴＳヘッダ
１７−１，１７−２，１７−３  ＰＥＳパケットデータ
【図１】
2006211679.tif 000006
【図２】
2006211679.tif 000007
【図３】
2006211679.tif 000008